(57)【要約】【課題】従来の両開き式綴込具の構成変更を最小限にしながら、綴込具の閉止状態が安定し、且つ、開閉操作がスムーズになる両開き式綴込具を提供する。【解決手段】長方形状の基板１０の長手両側縁部に一対の開閉側板２０を設ける。開閉側板２０の内側に保持する櫛板３０を設ける。櫛板３０に被係止部３１を形成する。開閉側板２０の内側に形成した係止部２１に被係止部３１を係脱可能にする。櫛板３０を開閉側板２０の内側に保持するときに、該緩衝材４０にて櫛板３０を係止部２１方向に押圧する。【選択図】  図１
2013086381.tif 000002
【特許請求の範囲】
【請求項１】
長方形状の基板と、該基板の長手両側縁部に連結軸を介して揺動可能に連結され、上端部に係止部を有し、連結軸に装着された付勢バネにより常時開く方向に付勢された一対の開閉側板と、該開閉側板の内側でそれぞれ対向するように配置された嵌合自在な綴杆を備え、連結軸の側面に当接支持せしめる支持脚を有すると共に、開閉側板の係止部に係脱自在に係止せしめる被係止部が形成され、開閉側板の内側に保持される一対の櫛板とから成る両開き式綴込具において、
櫛板の連結軸がわ側縁を押圧付勢する弾性材からなる緩衝材を連結軸に装着し、該連結軸の側面に櫛板の支持脚を当接支持した状態で被係止部を開閉側板の係止部に係止するときに、該緩衝材にて櫛板を係止部方向に押圧するように構成したことを特徴とする両開き式綴込具。
【請求項２】
前記緩衝材は筒状の合成樹脂材にて形成され、前記連結軸の長手中央部に回転自在に装着された請求項１記載の両開き式綴込具。
【請求項３】
前記開閉側板の前記係止部と前記櫛板の前記被係止部と、前記緩衝材とは、前記連結軸の長手中央部から上方に直線状に並ぶ位置に配置された請求項１記載の両開き式綴込具。
【発明の詳細な説明】
【技術分野】
【０００１】
本発明は、各種の書類を綴込むファイル用綴込具に係り、特に書類やカタログ等を多量に綴込むのに適した両開き式綴込具に関するものである。
【背景技術】
【０００２】
一般に、この種の綴込具は、綴込底板の一側縁部に立設した固定用櫛板に対して、この固定櫛板に対向するよう底板の他側縁部に設けた着脱用櫛板を締結手段で係止するように構成されている。ところが、このような綴込具は一方の固定用櫛板が固定されていることから、綴込み量が多くなると、この固定櫛板側に対する書類の綴込みおよび綴外し操作が極めて困難かつ繁雑となる欠点を有していた。
【０００３】
そこで従来では、綴込具の閉止状態が安定し、且つ、開閉操作がスムーズになる両開き式綴込具として、両開き式の綴込具が提案されている。この綴込具によると、片開き式の綴込具と比べて多くの書類をスムーズに綴り込むことが可能になったが、その一方で、両側の櫛板が着脱になるため、多量の書類を綴り込む場合に、綴込具の閉止状態が安定しなくなるという不都合が生じていた。
【０００４】
そこで、このような両開き式の綴込具の不都合を解消するため、例えば特許文献１に記載の両開き式の綴込具が提案されている。この綴込具によると、綴込具の基板の折曲部に第１フランジ部を形成した側板と、この側板を弾力的に保持する押圧保持板とを、それぞれ回動自在に螺着し、この押圧保持板を介して、第２フランジ部を形成した櫛板を側板に対して係脱自在に嵌合保持するように構成したものである。そして、取り外した櫛板を押圧保持板に対して上方から押し込むことで両方のフランジ部が弾着的に嵌合されるので、多量の書類を綴り込む場合でも、この押圧保持板の作用で綴込具の閉止状態が安定するというものである。
【０００５】
一方、書類等を収容した閉止状態ではしっかりと係合を保持しつつも、開放状態では書類等を抜き差しする際の操作性を損なうこともある。そこで、このような書類等を抜き差しする際の操作性を損なうことのない綴り具として、特許文献２に記載の書類綴り具も提案されている。
【０００６】
この書類綴り具では、基板にヒンジ部を介して回動可能に取付けられた左右一対の起立板の各々に設けられた第一の係合要素と、一対の押さえ板に設けられた第二の係合要素とを含み、起立板を押さえ板に対し左右方向外側から当てることにより第一の係合要素と第二の係合要素とが互いに係合可能としたものである。そして、起立板を単に外側に倒すことにより押さえ板との係合を解除することができるというものである。
【先行技術文献】
【特許文献】
【０００７】
【特許文献１】特公平４‐３５３６０号公報
【特許文献２】特許第４３１１９２１号公報
【発明の概要】
【発明が解決しようとする課題】
【０００８】
ところが特許文献１の綴込具では、綴込具の基板の折曲部に第１フランジ部を形成した側板と、この側板を弾力的に保持する押圧保持板とを、それぞれ回動自在に螺着し、この押圧保持板を介して、第２フランジ部を形成した櫛板と側板とを係脱自在に嵌合保持するように構成するといった複雑な構成を成しているため、取り外した櫛板を押圧保持板に対して上方から押し込んだときに、両方のフランジ部が弾着的に嵌合されないおそれがあった。
【０００９】
しかも、第１フランジ部を形成した側板や、この側板を弾力的に保持する押圧保持板など、従来の両開き式綴込具にはなかった複数の部品を多用するものであるから、製造コストが上昇する不都合もあった。
【００１０】
また、特許文献２の書類綴り具においても、左右一対の起立板の各々に設けられた第一の係合要素と、一対の押さえ板に設けられた第二の係合要素とを含み、起立板を押さえ板に対し左右方向外側から当てることにより第一の係合要素と第二の係合要素とが互いに係合可能としたものであるから、特許文献１の構成に比べて構成が簡略化されてはいるものの、二つの係合要素を設ける必要があるので、従来の両開き式綴込具と比べると未だ複数の部品を多用するものであるから、製造コストが上昇する不都合があった。
【００１１】
しかも、従来では、簡単な構成によって、閉止状態では確実な係合力にて閉止状態を安定化しながら、開放状態では開閉操作がスムーズになるといった機能を有する両開き式綴込具は未だ提案されていなかった。
【００１２】
そこで本発明は、上述の課題を解消すべく創出されたもので、従来の両開き式綴込具の構成変更を最小限にしながら、閉止状態では確実な係合力にて閉止状態を安定化し、しかも、開放状態では開閉操作がスムーズになり、書類等を抜き差しする際の操作性を損なうことのない両開き式綴込具の提供を目的とするものである。
【課題を解決するための手段】
【００１３】
上述の目的を達成すべく本発明における第１の手段は、長方形状の基板１０と、該基板１０の長手両側縁部に連結軸１１を介して揺動可能に連結され、上端部に係止部２１を有し、連結軸１１に装着された付勢バネ１２により常時開く方向に付勢された一対の開閉側板２０と、該開閉側板２０の内側でそれぞれ対向するように配置された嵌合自在な綴杆３３を備え、連結軸１１の側面に当接支持せしめる支持脚３２を有すると共に、開閉側板２０の係止部２１に係脱自在に係止せしめる被係止部３１が形成され、開閉側板２０の内側に保持される一対の櫛板３０と、から成る両開き式綴込具において、櫛板３０の連結軸１１がわ側縁を押圧付勢する弾性材からなる緩衝材４０を連結軸１１に装着し、該連結軸１１の側面に櫛板３０の支持脚３２を当接支持した状態で被係止部３１を開閉側板２０の係止部２１に係止するときに、該緩衝材４０にて櫛板３０を係止部２１方向に押圧するように構成したことにある。
【００１４】
第２の手段において、前記緩衝材４０は筒状の合成樹脂材にて形成され、前記連結軸１１に回転自在に装着されたものである。
【００１５】
第３の手段は、前記開閉側板２０の前記係止部２１と前記櫛板３０の前記被係止部３１と、前記緩衝材４０とは、前記連結軸１１の長手中央部から上方に直線状に並ぶ位置に配置したものである。
【発明の効果】
【００１６】
本発明の請求項１によると、連結軸１１の側面に櫛板３０の支持脚３２を当接支持した状態で開閉側板２０の係止部２１と櫛板３０の被係止部３１とを係合して櫛板３０を開閉側板２０の内側に保持するときに、該緩衝材４０にて櫛板３０を係止部２１方向に押圧するように構成したことにより、綴込具の閉止状態が安定し、且つ、開閉操作がスムーズになるものである。しかも、連結軸１１に緩衝材４０を装着するだけでよいので、従来の両開き式綴込具の構成変更を最小限にすることができる。
【００１７】
請求項２のごとく、緩衝材４０は筒状の合成樹脂材にて形成され、連結軸１１に回転自在に装着されたことから、緩衝材４０の押圧面は、使用するたびに自然に回転し、あるいは手動で回転させることができる。したがって、緩衝材４０の押圧面が一箇所に固定されず、長期の使用でも該押圧面が偏って潰れる虞はない。しかも、合成樹脂材にて形成する筒状の緩衝材４０は、極めて安価に製造することが可能であり、連結軸１１に通すだけで装着できるから、製造時のコストを抑えることができる。
【００１８】
請求項３のように、開閉側板２０の係止部２１と櫛板３０の被係止部３１と、緩衝材４０とは、連結軸１１の長手中央部から上方に直線状に並ぶ位置に配置したことで、緩衝材４０を極めて効率良く使用することができる。したがって、複数の緩衝材４０を設置する必要がない。
【図面の簡単な説明】
【００１９】
【図１】本発明の一実施例を示す斜視図である。
【図２】本発明の一実施例を示す側面図である。
【図３】本発明の一実施例を示す平面図である。
【図４】（イ）〜（ハ）は、本発明の緩衝材を示す要部拡大断面図である。
【図５】図３に示す矢視Ｖ‐Ｖ線を示す断面図である。
【発明を実施するための形態】
【００２０】
本発明によると、従来の両開き式綴込具の構成変更を最小限にしながら、綴込具の閉止状態が安定し、且つ、開閉操作がスムーズになるといった当初の目的を達成した。
【実施例】
【００２１】
以下、本発明の実施例を説明する。本発明綴込具の基本構成は、基板１０、開閉側板２０、櫛板３０、緩衝材４０にて構成される（図１参照）。
【００２２】
基板１０は、長方形状を成し、ファイルの表紙などに固定する部材である。この基板１０の長手側縁部に開閉側板２０が装着されている。
【００２３】
開閉側板２０は、連結軸１１を介して基板１０の長手両側縁部に揺動可能に連結された部材である（図２参照）。この開閉側板２０の上端部には、係止部２１を形成してあり、後述する櫛板３０の被係止部３１に係止する。また、開閉側板２０は、連結軸１１に装着された付勢バネ１２により常時開く方向に付勢されている。
【００２４】
櫛板３０は、開閉側板２０の内側に着脱自在に保持される部材で、該開閉側板２０の内側でそれぞれ対向するように配置された嵌合自在な綴杆３３を備えている（図３参照）。この櫛板３０の綴杆３３は、鞘部３３Ａと綴部３３Ｂとで嵌合自在に構成されている（図５参照）。そして、櫛板３０の下側縁に沿って、連結軸１１の側面に当接支持せしめる支持脚３２を設けている（図２参照）。また、櫛板３０の上側縁の中央部には、前述した開閉側板２０の係止部２１に係脱自在に係止せしめる被係止部３１を形成している（図１参照）。
【００２５】
緩衝材４０は、連結軸１１に装着され、櫛板３０の連結軸１１がわ側縁を押圧付勢する弾性部材である（図１参照）。この緩衝材４０は筒状の合成樹脂材にて形成され、連結軸１１の長手中央部に回転自在に装着されている。そして、連結軸１１の側面に櫛板３０の支持脚３２を当接支持した状態で開閉側板２０の係止部２１と櫛板３０の被係止部３１とを係合して櫛板３０を開閉側板２０の内側に保持するときに、該緩衝材４０にて櫛板３０を係止部２１方向に押圧するように構成している（図４参照）。
【００２６】
すなわち、図４（イ）は、開閉側板２０と櫛板３０とが離れた状態を示す。また、同図（ロ）は、連結軸１１の側面に櫛板３０の支持脚３２を当接支持せしめる状態で、このとき櫛板３０の下側縁は緩衝材４０に当接する。そして、同図（ハ）は、係止部２１に被係止部３１を係止した状態を示しており、このとき櫛板３０の下側縁は、緩衝材４０の弾性力によって係止部２１方向に押圧付勢されている。この結果、係止部２１と被係止部３１との係合力が確実になるものである。
【００２７】
このとき、開閉側板２０の係止部２１及び櫛板３０の被係止部３１、並びに緩衝材４０が、連結軸１１の長手中央部から上方に一直線状に並ぶ位置に配置することで（図２参照）、係止部２１と被係止部３１とに緩衝材４０の押圧付勢力を一箇所に集中させることができる。
【産業上の利用可能性】
【００２８】
本発明支持具は、両開き式綴込具として説明しているが、一方のみが開閉する片開き式の綴込具に利用することも可能である。また、本発明の各構成部材は図示例に限られるものではなく、本発明の要旨を変更しない範囲で自由に設計変更できるものである。
【符号の説明】
【００２９】
１０  基板
１１  連結軸
１２  付勢バネ
２０  開閉側板
２１  係止部
３０  櫛板
３１  被係止部
３２  支持脚
３３  綴杆
３３Ａ  鞘部
３３Ｂ  綴部
４０  緩衝材
【図１】
2013086381.tif 000003
【図２】
2013086381.tif 000004
【図３】
2013086381.tif 000005
【図４】
2013086381.tif 000006
【図５】
2013086381.tif 000007